(57)【特許請求の範囲】
【請求項１】
四角柱の本体部と、この本体部を形成する背面板の上端に折り線を介して、天井板、内正面板、内天井板、接着片を順に設け、かつ前記天井板、内正面板、内天井板の中間部に切断線を設けた蓋部の前記接着片を背面板の内面に接着し、横向角筒状の蓋を形成した振り出しカートンにおいて、
前記蓋の横向角筒を分断するように設けた切断線により区画される蓋のどちらか一方を可動振り出し口とし、区画される他方の蓋の上部に、本体部を形成する正面板の上部に折り線を介して設けた覆板を貼着してなる振り出しカートン。
【請求項２】
四角柱の本体部と、この本体部を形成する背面板の上端を延長して、中間に切断線を有する天井板を設け、天井板の切断線により区画される一方の天井板に折り線を介して、内正面板、内天井板、接着片を順に設け、接着片を背面板の内面に接着し、横向角筒状の蓋を形成した振り出しカートンにおいて、
前記蓋の天井板を区画するように設けた切断線により区画される蓋の横向角筒を可動振り出し口とし、区画される他方の蓋の上部に、本体部を形成する正面板の上部に折り線を介して設けた覆板を貼着してなる振り出しカートン。
【発明の詳細な説明】
【０００１】
【発明の属する技術分野】
本発明は、ガム、ラムネ、チョコレート加工品などの粒状もしくはタブレット状の菓子等を収納し、これを小出しできる振り出しカートンに関する。
【０００２】
【従来の技術】
従来、ガム、ラムネ、チョコレート加工品などの粒状もしくはタブレット状の菓子等を収納し、小出しする携帯用の振り出しカートンで、上部に可変形角筒状蓋を有するものが知られている。（例えば実公昭４９−３４４１４号）
【０００３】
【発明が解決しようとする課題】
ところで、前記実公昭４９−３４４１４号に示された構造は、開口の際、天面が全面開口となるため、カートン上面が何もなく側面が切り立った状態となり、カートンの角柱が変形して保形性が良くなかった。
【０００４】
また、前記構造は開口の有無が確認できないので、不正開封防止の目的で、箱全体を包む外装フィルムを施す方法や、特殊シールを貼着する方法がとられているが、工程数が多く、コストが高かった。
【０００５】
【発明が解決しようとする課題】
本発明の課題は、前記従来技術の問題点を解決するものであり、その課題とするところは、ガム、ラムネ、チョコレート加工品などの粒状もしくはタブレット状の菓子等を収納し、小出しする携帯用の振り出しカートンにおいて、保形性が良好でかつリクローズ性があり、不正開封防止機能性付与にコスト面で有利な振り出しカートンを提供することにある。
【０００６】
【課題を解決するための手段】
本発明は、四角柱の本体部と、この本体部を形成する背面板の上端に折り線を介して、天井板、内正面板、内天井板、接着片を順に設け、かつ前記天井板、内正面板、内天井板の中間部に切断線を設けた蓋部の前記接着片を背面板の内面に接着し、横向角筒状の蓋を形成した振り出しカートンにおいて、前記蓋の横向角筒を分断するように設けた切断線により区画される蓋のどちらか一方を可動振り出し口とし、区画される他方の蓋の上部に、本体部を形成する正面板の上部に折り線を介して設けた覆板を貼着してなることを特徴とする振り出しカートンである。
【０００７】
また、第２の発明は、四角柱の本体部と、この本体部を形成する背面板の上端を延長して、中間に切断線を有する天井板を設け、天井板の切断線により区画される一方の天井板に折り線を介して、内正面板、内天井板、接着片を順に設け、接着片を背面板の内面に接着し、横向角筒状の蓋を形成した振り出しカートンにおいて、前記蓋の天井板を区画するように設けた切断線により区画される蓋の横向角筒を可動振り出し口とし、区画される他方の蓋の上部に、本体部を形成する正面板の上部に折り線を介して設けた覆板を貼着してなることを特徴とする振り出しカートンである。
【０００８】
【発明の実施の形態】
本発明の振り出しカートンを、実施の形態に沿って以下に詳細に説明する。
【０００９】
図１は、本発明の一実施の形態を示す展開図であり、左側面板１、正面板２、右側面板３、背面板４、接着片５を順次折り線ａ、ｂ、ｃ、ｄを介して連設した本体部と、この本体部の前記背面板４の上端に、天井板６、内正面板７、内天井板８、接着片９を順次折り線ｅ、ｆ、ｇ、ｈを介して連設した蓋部と、本体部の前記背面板４の下端を延長して、底板１１、差込片１２を順次折り線ｊ、ｋを介して連設し、前記左側面板１、右側面板３の下端を延長してそれぞれフラップ１３、１４を折り線ｍ、ｌを介して連設した底部を有する。なお、蓋部を形成する前記部材天井板６、内正面板７、内天井板８の中間部にミシン線ＣＬを設ける。また、ミシン線からなる切断線ＣＬにより分断した蓋の片方の蓋を覆うように正面板２の上端に折り線ｉを介して覆板１０を設ける。
【００１０】
そして、本体部は折り線から順次折り曲げ、接着片５を左側面板１の内側に接着して本体を形成するとともに、蓋部も折り線から順次折り曲げ、該接着片９を背面板４の内面に接着し、さらに、切断線ＣＬにより分断した蓋の片方の蓋の上に該覆板１０を貼着して、横向角筒状の蓋を形成し、底部も折り線を折り曲げ、差込片を係合させて底を形成し、図２に示すような振り出しカートンを組み立てる。
【００１１】
また、図６は本発明の他の実施の形態を示す展開図であり、左側面板１、正面板２、右側面板３、背面板４、接着片５を順次折り線ａ、ｂ、ｃ、ｄを介して連設した本体部と、この本体部の前記背面板４の上端に折り線ｅを介して、中間にミシン線からなる切断線ＣＬを有する天井板６を設け、前記天井板６の切断線ＣＬにより区画される一方の天井板の上端に、内正面板７、内天井板８、接着片９を順次折り線ｆ、ｇ、ｈを介して連設した蓋部と、本体部の前記背面板４の下端を延長して、底板１１、差込片１２を順次折り線ｊ、ｋを介して連設し、前記左側面板１、右側面板３の下端を延長してそれぞれフラップ１３、１４を折り線ｍ、ｌを介して連設した底部を有する。また、切断線ＣＬにより分断した蓋の、上端に内正面板７の連設されていない方の蓋を覆うように正面板２の上端に折り線ｉを介して覆板１０を設ける。
【００１２】
そして、本体部は折り線から順次折り曲げ、接着片５を左側面板１の内側に接着して本体を形成するとともに、蓋部も折り線から順次折り曲げ、該接着片９を背面板４の内面に接着し、さらに、切断線ＣＬにより分断した蓋の片方の蓋の上に該覆板１０を貼着して、横向角筒状の蓋を形成し、底部も折り線を折り曲げ、差込片を係合させて底を形成し、図７に示すような振り出しカートンを組み立てる。
【００１３】
ここで、底部の組み立てについては、本構造に限るものではない。
【００１４】
更に、分断した蓋部の覆板１０で覆われていない方の天井板６と内正面板７の間の折り線ｆ上に突起片１５を、内正面板７と内天井板８の間の折り線ｇ上に係止片１６を、正面板２の係止片１６に対応する箇所に切り込み１７を設け、ロック機構を付加させてもよい。
【００１５】
また、図６、図７の他の実施例に示すように、切り込み１７の代わりに、可動振り出し口２０の方の正面板２の上端を内正面板７の高さ分延長し、係止舌片１８を設け、該係止舌片１８を正面板２の内側に折り返して、係止舌片１８の下端を係止片１６に係合させるロック機構を付加させてもよい。
【００１６】
上記振り出しカートンにおいて、蓋を開放し中身を出すためには、図４に示すように、突起片１５を持ち上げ、天井板６、内正面板７、内天井板８に跨がる横向角筒を分断するように角筒の円周に設けたミシン線ＣＬを破り、可動振り出し口２０を形成する。
【００１７】
よって、このミシン線からなる切断線の破断の有無がバージン性の有無の判断基準となるものである。
【００１８】
更に再封に際し、図２に示すように、係止片１６が切り込み１７に差し込まれることで、可動振り出し口２０を係止する役割を果たし、リクローズ性を有する振り出しカートンとすることができる。
【００１９】
また、図７に示すように、係止片１６が係止舌片１８の下端に引っ掛かることで、可動振り出し口２０を係止する役割を果たし、リクローズ性を有する振り出しカートンとすることもできる。
【００２０】
なお、付加するロック機構については本構造に限るものではない。
【００２１】
以上の振り出しカートン用の紙材として、坪量１００ｇ／m2程度のコートマニラ、ノーコートマニラ、コートボール、コートアイボリーなどを用いることができ、箱のサイズ等によって坪量などを選定するものである。
【００２２】
【発明の効果】
本発明の請求項１の振り出しカートンは、蓋部を形成する板を延長して設け、その蓋をミシン線等の切断線により区画し、どちらか一方を可動振り出し口とし、もう一方の蓋を覆板で貼着することによって、保形性が良好でかつリクローズ性があり、不正開封防止機能性付与にコスト面で有利な振り出しカートンを提供可能とする効果がある。
【００２３】
また、請求項２の振り出しカートンは、蓋の天井板のミシン線等の切断線により区画されたどちらか一方に、蓋部を形成する板を延長して設け可動振り出し口とし、もう一方の蓋を覆板で貼着することによって、保形性が良好でかつリクローズ性があり、不正開封防止機能性付与にコスト面で更に有利な振り出しカートンを提供可能とする効果がある。
【図面の簡単な説明】
【図１】本発明の振り出しカートンの一実施例の展開図である。
【図２】本発明の振り出しカートンの一実施例の閉蓋時の斜視図である。
【図３】本発明の振り出しカートンの一実施例の閉蓋時の断面図である。
【図４】本発明の振り出しカートンの一実施例の開蓋時の斜視図である。
【図５】本発明の振り出しカートンの一実施例の開蓋時の断面図である。
【図６】本発明の振り出しカ─トンの他の実施例の展開図である。
【図７】本発明の振り出しカートンの他の実施例の開蓋時の斜視図である。
【符号の説明】
１…左側面板
２…正面板
３…右側面板
４…背面板
５、９…接着片
６…天井板
７…内正面板
８…内天井板
１０…覆板
１１…底板
１２…差込片
１３、１４…フラップ
１５…突起片
１６…係止片
１７…切り込み
１８…係止舌片
２０…可動振り出し口
ＣＬ…切断線
ａ〜ｍ…折り線
【図１】
0004164924.tif 000002
【図２】
0004164924.tif 000003
【図３】
0004164924.tif 000004
【図４】
0004164924.tif 000005
【図５】
0004164924.tif 000006
【図６】
0004164924.tif 000007
【図７】
0004164924.tif 000008